(57)【要約】【目的】  本発明は、寒いオフシーズンにおいて、暖を取ることができる掛け寝具及びこれを備えた寝具付きテーブルを提供する。【構成】  掛け寝具２００は、テーブル１００に掛けることが可能な掛け寝具本体２１０を備えている。この掛け寝具本体２１０は、載置部２１１及び外周部２１２を備えている。載置部２１１は、テーブル１００の天板１１０上に載置可能である。載置部２１１には、天板１１０の上面１１１を露出させる開口２１１ａが設けられている。外周部２１２は、載置部２１１の周りに設けられており且つテーブル１００の脚部１２０の周りに配置可能となっている。【選択図】      図１
2019136180.tif 000002
【特許請求の範囲】
【請求項１】
テーブルに掛けることが可能な掛け寝具本体を備えており、
前記掛け寝具本体は、前記テーブルの天板上に載置される載置部と、
前記載置部の周りに設けられており且つ前記テーブルの脚部の周りに配置される外周部とを備えており、
前記載置部には、前記天板の上面を部分的に露出させる開口が設けられている掛け寝具。
【請求項２】
請求項１記載の掛け寝具において、
前記掛け寝具本体に設けられており且つ前記テーブルに係止可能な係止部を更に備えている掛け寝具。
【請求項３】
請求項１記載の掛け寝具において、
前記掛け寝具本体に設けられており且つ前記テーブルの係止部に係止される被係止部を更に備えている掛け寝具。
【請求項４】
請求項１〜３の何れかに記載の掛け寝具において、
前記載置部の前記開口を塞ぐ閉塞部と、
前記閉塞部を前記載置部に着脱可能に連結する連結部とを更に備えている掛け寝具。
【請求項５】
請求項４記載の掛け寝具において、
前記閉塞部は、前記開口を塞ぐ閉塞部本体と、
前記閉塞部本体の外周縁部に設けられた第１フランジとを有しており、
前記載置部は、前記開口の内周縁部と、
前記載置部の前記内周縁部に設けられた第２フランジとを有しており、
前記第１フランジと前記第２フランジとが互いに重なる掛け寝具。
【請求項６】
請求項５記載の掛け寝具において、
前記連結部、前記第１フランジ及び前記第２フランジは、前記掛け寝具の厚み方向において、前記連結部、前記第１フランジ、前記第２フランジの順又は前記連結部、前記第２フランジ、前記第１フランジの順で配置されている掛け寝具。
【請求項７】
請求項４記載の掛け寝具において、
前記載置部は、前記開口の内周縁部を有しており、
前記閉塞部は、前記開口を塞ぐ閉塞部本体と、
前記閉塞部本体の外周縁部に設けられており且つ前記載置部に重なる第１フランジとを有している掛け寝具。
【請求項８】
請求項４記載の掛け寝具において、
前記載置部は、前記開口の内周縁部と、
前記載置部の前記内周縁部に設けられており且つ前記閉塞部に重なる第２フランジとを有している掛け寝具。
【請求項９】
請求項４〜８の何れかに記載の掛け寝具において、
前記連結部は、前記載置部の前記開口の内周縁部及び前記閉塞部の外周縁部に設けられた線ファスナであり、前記線ファスナは、間隙を有して隣り合う始端及び終端を有し、
前記閉塞部及び前記載置部の少なくとも一方には、少なくとも前記線ファスナの前記始端と前記終端の間の前記間隙を覆うカバー部が設けられている掛け寝具。
【請求項１０】
請求項４〜９の何れかに記載の掛け寝具において、
前記閉塞部の第１方向の寸法は、人の身幅と略同じ又は前記身幅よりも大きく、
前記第１方向は、前記閉塞部の平面に沿って延びる方向である掛け寝具。
【請求項１１】
請求項１〜１０の何れかに記載の掛け寝具において、
固定部を更に備えており、
前記掛け寝具本体は、矩形状であって、二つ折り可能であり、
前記固定部は、二つ折りにされた状態が維持されるように前記掛け寝具本体を解除可能に固定する掛け寝具。
【請求項１２】
請求項１〜１１の何れかに記載の掛け寝具と、
前記掛け寝具が掛けられるテーブルとを備えており、
前記テーブルは、前記掛け寝具の前記載置部が載置され、当該載置部の前記開口から部分的に露出する上面を有する天板と、
前記天板を支持する脚部とを備えている寝具付きテーブル。
【発明の詳細な説明】
【技術分野】
【０００１】
本発明は、掛け寝具及びこれを備えた寝具付きテーブルに関する。
【背景技術】
【０００２】
下記特許文献１には、アウトドアで、敷き布団や寝袋として使用可能な掛け寝具が記載されている。
【先行技術文献】
【特許文献】
【０００３】
【特許文献１】特開平１０−２７６８６７号公報
【発明の概要】
【発明が解決しようとする課題】
【０００４】
近年では、アウトドアに適した暖かいオンシーズンだけでなく、寒いオフシーズンにおいても、キャンプやバーベキューを楽しむ人が増えている。
【０００５】
本発明は、上記事情に鑑みて創案されたものであって、その目的とするところは、寒いオフシーズンにおいて、暖を取ることができる掛け寝具及びこれを備えた寝具付きテーブルを提供する。
【課題を解決するための手段】
【０００６】
上記課題を解決するために、本発明の一態様の掛け寝具は、テーブルに掛けることが可能な掛け寝具本体を備えている。この掛け寝具本体は、載置部及び外周部を備えている。載置部は、テーブルの天板上に載置可能である。載置部には、天板の上面を部分的に露出させる開口が設けられている。外周部は、載置部の周りに設けられており且つテーブルの脚部の周りに配置可能となっている。
【０００７】
このような態様の掛け寝具による場合、載置部をテーブルの天板上に載置することによって、掛け寝具本体の外周部がテーブルの脚部の周りに配置される。よって、掛け寝具本体の外周部を使用者の脚にかけることによって、コタツのように暖を取ることができる。しかも、載置部がテーブルの天板上に載置された状態で、掛け寝具本体の載置部の開口から天板の上面が露出するため、この天板の露出部に物を置くことができる。よって、コタツのように分離可能な天板を有しないテーブルを用いて、コタツのように使用することが可能となる。
【０００８】
上記掛け寝具は係止部を更に備えた構成とすることが可能である。係止部は、掛け寝具本体に設けられており且つテーブルに係止可能な構成とすることが可能である。このような態様の掛け寝具による場合、係止部が被係止部に係止されることによって、掛け寝具の載置部が天板に載置された状態が維持され易くなる。
【０００９】
上記掛け寝具は被係止部を更に備えた構成とすることが可能である。被係止部は、掛け寝具本体に設けられており且つテーブルの係止部に係止される構成とすることが可能である。このような態様の掛け寝具による場合、係止部が被係止部に係止されることによって、掛け寝具の載置部が天板に載置された状態が維持され易くなる。
【００１０】
上記何れかの態様の掛け寝具は、閉塞部及び連結部を更に備えた構成とすることが可能である。閉塞部は載置部の開口を塞ぐ構成とすることが可能である。連結部は、閉塞部を載置部に着脱可能に連結する構成とすることが可能である。このような態様の掛け寝具による場合、閉塞部で載置部の開口を塞いだ状態で、連結部によって閉塞部が載置部に連結され、当該状態が維持される。よって、閉塞部が取り付けられた掛け寝具本体が一枚の掛け寝具として使用可能となる。
【００１１】
閉塞部は、開口を塞ぐ閉塞部本体と、この閉塞部本体の外周縁部に設けられた第１フランジとを有する構成とすることが可能である。載置部は、開口の内周縁部と、この載置部の内周縁部に設けられた第２フランジとを有する構成とすることが可能である。この場合、第１フランジと第２フランジとが互いに重なる構成とすることが可能である。このような態様の掛け寝具による場合、閉塞部で載置部の開口を塞いだ状態で、閉塞部の第１フランジと載置部の第２フランジとが互いに重なるため、閉塞部の外周縁部と載置部の内周縁部との間に隙間が生じ難くなる。
【００１２】
連結部、第１フランジ及び第２フランジは、掛け寝具の厚み方向において、連結部、第１フランジ、第２フランジの順又は連結部、第２フランジ、第１フランジの順で配置されていても良い。このような態様の掛け寝具による場合、連結部に第１フランジ及び第２フランジが重なっているため、連結部の連結の隙間を塞ぐことができる。
【００１３】
第２フランジが省略される場合、第１フランジは、載置部に重なる構成とすることが可能である。この場合、第１フランジは、厚み方向において連結部に対向していても良い。第１フランジが省略される場合、第２フランジは、閉塞部本体に重なる構成とすることが可能である。この場合、第２フランジは、厚み方向において連結部に対向していても良い。
【００１４】
連結部は、載置部の開口の内周縁部及び閉塞部の外周縁部に設けられた線ファスナとすることが可能である。線ファスナは、間隙を有して隣り合う始端及び終端を有する構成とすることが可能である。閉塞部及び載置部の少なくとも一方には、少なくとも線ファスナの始端と終端の間の間隙を覆うカバー部が設けられた構成とすることが可能である。このような態様の掛け寝具による場合、閉塞部が載置部の開口の内周縁部に線ファスナで固定された状態で、カバー部によって少なくとも線ファスナの始端と終端の間の間隙が覆われる。
【００１５】
閉塞部の第１方向の寸法は、人の身幅と略同じ又は身幅よりも大きくすることが可能である。第１方向は、閉塞部の平面に沿って延びる方向とすると良い。このような態様の掛け寝具による場合、掛け寝具本体から取り外された閉塞部を膝掛け、椅子カバー又は座布団などとして使用することが可能になる。
【００１６】
上記した何れかの態様の掛け寝具は固定部を更に備えた構成とすることが可能である。掛け寝具本体は、矩形状であって、二つ折り可能な構成とすることが可能である。固定部は、二つ折りにされた状態が維持されるように掛け寝具本体を解除可能に固定する構成とすることが可能である。このような態様の掛け寝具による場合、掛け寝具本体を二つ折りし、固定部でその状態が維持されるように固定することができ、二つ折りにされた掛け寝具本体は筒状をなすため、当該掛け寝具本体を寝袋のように使用することが可能になる。
【００１７】
本発明の一態様の寝具付きテーブルは、上記した何れかの態様の掛け寝具と、この掛け寝具が掛けられるテーブルとを備えている。テーブルは、天板及び脚部を備えている。天板は、掛け寝具の載置部が載置され、当該載置部の開口から部分的に露出する上面を有している。脚部は天板を支持している。
【図面の簡単な説明】
【００１８】
【図１】本発明の実施例１に係る寝具付きテーブルの斜視図である。
【図２】実施例１に係る寝具付きテーブルの斜視図である。
【図３Ａ】実施例１の寝具付きテーブルの掛け寝具の正面図であって、その開口が開放された図である。
【図３Ｂ】実施例１の寝具付きテーブルの掛け寝具の背面図であって、その開口が開放された図である。
【図３Ｃ】実施例１の寝具付きテーブルの掛け寝具の平面図であって、その開口が開放された図である。
【図３Ｄ】実施例１の寝具付きテーブルの掛け寝具の底面図であって、その開口が開放された図である。
【図３Ｅ】実施例１の寝具付きテーブルの掛け寝具の右測面図であって、その開口が開放された図である。
【図３Ｆ】実施例１の寝具付きテーブルの掛け寝具の左側面図であって、その開口が開放された図である。
【図４Ａ】本発明の実施例２に係る寝具付きテーブルの掛け寝具の正面図であって、その開口が閉塞部で塞がれた図である。
【図４Ｂ】実施例２の寝具付きテーブルの掛け寝具の背面図であって、その開口が前記閉塞部で塞がれた図である。
【図４Ｃ】前記掛け寝具の図４Ｂ中のα部分の拡大図であって、当該掛け寝具のカバー部をめくった状態を示す図である。
【図５Ａ】実施例２の寝具付きテーブルの掛け寝具の閉塞部の正面図である。
【図５Ｂ】実施例２の寝具付きテーブルの掛け寝具の閉塞部の背面図である。
【図６】実施例２の寝具付きテーブルの掛け寝具を寝袋として使用したときの斜視図である。
【発明を実施するための形態】
【００１９】
以下、本発明の実施例１及び２について説明する。
【実施例１】
【００２０】
以下、本発明の実施例１を含む複数の実施例に係る寝具付きテーブルＴ１ついて図１〜図３Ｆを参照しつつ説明する。寝具付きテーブルＴ１は、テーブル１００と、掛け寝具２００とを備えている。図１には、実施例１の寝具付きテーブルＴ１のテーブル１００及び掛け寝具２００が示されており、図２には、実施例１の寝具付きテーブルＴ１のテーブル１００が示されており、図３Ａ〜図３Ｆには、実施例１の寝具付きテーブルＴ１の掛け寝具２００が示されている。
【００２１】
テーブル１００は、天板１１０と、少なくとも一つ脚部１２０とを備えている。天板１１０は、板状（例えば、矩形状（図２参照）、多角形状又は円形状の板）であれば良い。この天板１１０は、上面１１１を有している。少なくとも一つ脚部１２０は、天板１１０を支持するものであれば良い。少なくとも一つ脚部１２０は複数とすることが可能である。例えば、脚部１２０が二つである場合、二つの脚部１２０が天板１１０の両端部を支持するようになっていると良い。脚部１２０が三つ以上である場合、三つ以上の脚部１２０が天板１１０の外周部に沿って間隔をあけて設けられており、天板１１０を支持するようになっていると良い。なお、図２では、四つの脚部１２０が天板１１０の外周部を支持している。また、別の態様では、脚部１２０は一つとすることも可能である。この場合、脚部１２０は、天板１１０の中心部を支持していると良い。何れの態様であっても、テーブル１００の天板１１０下には、空間が生じている。
【００２２】
掛け寝具２００は、図１に示すように、テーブル１００に上側から掛けることができる掛け寝具であれば良い。掛け寝具２００は、例えば、掛け布団、ブランケット、織物又は和紙等の紙とすることが可能である。本発明におけるブランケットは、毛織物のブランケットだけでなく、エマージェンシーブランケット等のシートも含む。掛け寝具２００の外形寸法は、テーブル１００の天板１１０の外形寸法よりも大きい。掛け寝具２００は、例えば、矩形状（図１〜図３Ｆ参照）、多角形状又は円形状とすることが可能である。
【００２３】
掛け寝具２００は掛け寝具本体２１０を備えている。掛け寝具本体２１０は、載置部２１１と、外周部２１２を有している。載置部２１１は、掛け寝具本体２１０の中央部であって、テーブル１００の天板１１０の上面１１１上に載置可能である。以下、載置部２１１がテーブル１００の天板１１０の上面１１１上に載置された状態を載置状態と称する。外周部２１２は、掛け寝具本体２１０の載置部２１１の周りの環状の部分である。外周部２１２は、載置状態で、テーブル１００の少なくとも一つの脚部１２０の周りを囲うように配置可能である。換言すると、外周部２１２は、載置状態で、テーブル１００の天板１１０下の上記空間を囲うように配置可能である。また、載置状態で、掛け寝具本体２１０は、載置部２１１がテーブル１００の天板１１０に対してずれにくい自重を有していても良いが、これに限定されるものではない。載置部２１１は、開口２１１ａと、この開口２１１ａの内周縁部２１１ｂとを有している。開口２１１ａは、載置部２１１を貫通している。開口２１１ａの内形寸法は、天板１１０の外形寸法よりも小さい。このため、開口２１１ａは、載置状態で、天板１１０の上面１１１を部分的に露出させることが可能になっている。開口２１１ａの形状は任意であるが、例えば、矩形状（図１〜図３Ｆ参照）、多角形状又は円形状とすることが可能である。開口２１１ａの内周縁部２１１ｂは、ゴム紐等が設けられておらず、伸縮しない構成であることが好ましい。
【００２４】
別の態様では、載置部２１１が掛け寝具本体２１０の端部であり、外周部２１２が掛け寝具本体２１０の載置部２１１の周りの略Ｕ字状の部分とすることが可能である。これ以外については、この別の態様の載置部２１１及び外周部２１２は上記の通りとすることが可能である。
【００２５】
掛け寝具２００は、少なくとも一つの係止部２２０を更に備えていても良い。少なくとも一つの係止部２２０は、掛け寝具本体２１０に設けられており且つ載置状態でテーブル１００の少なくとも一つの被係止部に係止可能になっている。例えば、少なくとも一つの係止部２２０及びテーブル１００の少なくとも一つの被係止部は、以下の（１）〜（４）の何れかの構成とすることが可能であるが、これに限定されるものではない。
【００２６】
（１）少なくとも一つの係止部２２０は、線状又はループ状のワイヤー、紐（伸縮可能なゴム紐（図１〜図３Ｆ参照）であっても良いし、伸縮しない紐であっても良い。）又はベルトであって、掛け寝具本体２１０から延びている。テーブル１００の少なくとも一つの被係止部は、テーブル１００の脚部１２０又はテーブル１００に設けられたフック、係止片又はループ等である。この場合、ワイヤー、紐又はベルトが、脚部１２０、フック、係止片又はループに結びつけ又は引っかけ可能となっている（図１参照）。
（２）少なくとも一つの係止部２２０は、掛け寝具本体２１０から延びるワイヤー、紐（伸縮可能なゴム紐又は伸縮しない紐）又はベルトであって、その先端部にフック又はトグルが設けられた構成である。テーブル１００の少なくとも一つの被係止部は、上記（１）と同様の構成である。この場合、係止部２２０のフック又はトグルは、被係止部である脚部１２０、フック、係止片又はループに引っかけ可能となっている。
（３）少なくとも一つの係止部２２０は、掛け寝具本体２１０に設けられた第１面ファスナ（図示せず）である。テーブル１００の少なくとも一つの被係止部は、テーブル１００に設けられた第２面ファスナ（図示せず）である。この場合、第１、第２面ファスナ同士が着脱可能になっている。
（４）少なくとも一つの係止部２２０は、掛け寝具本体２１０に設けられたラッチ部又は被ラッチ部であり、テーブル１００の少なくとも一つの被係止部は、テーブル１００に設けられた図示しない被ラッチ部又はラッチ部である。この場合、ラッチ部が被ラッチ部に着脱可能に取り付け可能となっている。
【００２７】
少なくとも一つの係止部２２０及びテーブル１００の少なくとも一つの被係止部はそれぞれ複数とすることが可能である。係止部２２０及び被係止部が複数である場合、上記（１）〜（４）の少なくとも二つが混在しても構わない。なお、図１〜図３Ｆでは、テーブル１００の被係止部は四つの脚部１２０であり、係止部２２０は四つであって、掛け寝具本体２１０の四つの角部から延びたループ状のゴム紐である。
【００２８】
以下、掛け寝具２００をテーブル１００に掛ける手順について詳しく説明する。掛け寝具２００を上側からテーブル１００に掛け、掛け寝具２００の載置部２１１をテーブル１００の天板１１０の上面１１１上に載置する。これにより、載置部２１１が天板１１０の上面１１１上に配置され、且つ載置部２１１の開口２１１ａから天板１１０の上面１１１が部分的に露出する。これと共に、掛け寝具２００の外周部２１２が載置部２１１からテーブル１００の脚部１２０の周りに垂れ下がり、テーブル１００の脚部１２０の周りに配置される。このようにして掛け寝具２００の外周部２１２がテーブル１００の天板１１０下の空間を囲うように配置される。
【００２９】
掛け寝具２００が少なくとも一つの係止部２２０を備えている場合、上記の通り、掛け寝具２００をテーブル１００に掛けた後又は掛けるときに、少なくとも一つの係止部２２０をテーブル１００の少なくとも一つの被係止部に係止させる。例えば、上記（１）の場合、ワイヤー、紐又はベルトを、脚部１２０、フック、係止片又はループに結びつける又は引っかける。上記（２）の場合、係止部２２０のフック又はトグルを被係止部である脚部１２０、フック、係止片又はループに引っかける。上記（３）の場合、第１、第２面ファスナ同士を貼り合わせる。上記（４）の場合、ラッチ部を被ラッチ部に取り付ける。
【００３０】
上記の通りに掛けられた掛け寝具２００をテーブル１００から剥ぎ取る。これにより、掛け寝具２００がテーブル１００から取り外される。
【００３１】
掛け寝具２００が少なくとも一つの係止部２２０を備えている場合、掛け寝具２００をテーブル１００から剥がす前に、少なくとも一つの係止部２２０とテーブル１００の少なくとも一つの被係止部との係止を解除する。例えば、上記（１）の場合、ワイヤー、紐又はベルトを、脚部１２０、フック、係止片又はループから取り外す。上記（２）の場合、係止部２２０のフックを被係止部である脚部１２０、フック、係止片又はループから取り外す。上記（３）の場合、第１、第２面ファスナ同士を剥がす。上記（４）の場合、ラッチ部を被ラッチ部から取り外す。
【００３２】
以上のような寝具付きテーブルＴ１による場合、掛け寝具２００の載置部２１１をテーブル１００の天板１１０上に載置することによって、掛け寝具２００の外周部２１２がテーブル１００の脚部１２０の周りに配置される。よって、掛け寝具２００の外周部２１２を使用者の脚にかけることによって、コタツのように暖を取ることができる。しかも、載置状態で、掛け寝具２００の載置部２１１の開口２１１ａから天板１１０の上面１１１が露出するため、この天板の露出部に物を置くことができる。よって、コタツのように分離可能な天板を有しないテーブル１００及び掛け寝具２００を用いて、寝具付きテーブルＴ１をコタツのように使用することができる。なお、テーブル１００については、天板１１０の外形寸法が、載置部２１１の開口２１１ａの内形寸法よりも小さいものである限り、任意のテーブルを用いることが可能である。
【００３３】
しかも、掛け寝具２００が少なくとも一つの係止部２２０を備えている場合、載置状態で、少なくとも一つの係止部２２０をテーブル１００の少なくとも一つの被係止部に係止させることによって、当該載置状態を維持し易くなる。掛け寝具２００の係止部２２０及びテーブル１００の被係止部が複数である場合、係止部２２０が被係止部に各々係止されることによって、当該載置状態がより維持し易くなる。
【００３４】
更に、少なくとも一つの係止部２２０が掛け寝具本体２１０の外周部２１２の端や角部に設けられている場合、少なくとも一つの係止部２２０が少なくとも一つの被係止部に係止されることによって、掛け寝具本体２１０の外周部２１２が捲り上がり難くなる。
【００３５】
更に、掛け寝具本体２１０が中綿入りである場合、中綿の詰め具合などによって、載置状態で、掛け寝具本体２１０の外周部２１２が、テーブル１００の脚部１２０周りに垂れ下がり難く、テーブル１００の脚部１２０（テーブル１００下の空間）から離反することがある。しかし、少なくとも一つの係止部２２０がテーブル１００の脚部１２０に又は脚部１２０に設けられた被係止部に引っかけ可能である場合、少なくとも一つの係止部２２０をテーブル１００の脚部１２０又は脚部１２０の被係止部に引っかけることによって、外周部２１２をテーブル１００の脚部１２０周りに垂れ下がるように配置することができる。
【００３６】
また、載置部２１１の開口２１１ａの内周縁部２１１ｂが上記の通り伸縮しない構成である場合、載置部２１１の開口２１１ａの内周縁部２１１ｂが縮み、天板１１０の上面１１１の露出部が小さくなることがない。また、内周縁部２１１ｂが縮みと、うねることがないため、天板１１０の上面１１１上で内周縁部２１１ｂが使用者の手などに干渉する可能性を低減できる。
【実施例２】
【００３７】
以下、本発明の実施例２を含む複数の実施例に係る寝具付きテーブルＴ２ついて図４Ａ〜図６を参照しつつ説明する。図４Ａ〜図６には、実施例２の寝具付きテーブルＴ２の掛け寝具２００が示されている。寝具付きテーブルＴ２は、掛け寝具２００’の構成が寝具付きテーブルＴ１の掛け寝具２００の構成と相違する以外、寝具付きテーブルＴ１と同様の構成である。以下、その相違点についてのみ説明し、寝具付きテーブルＴ２の説明のうち、寝具付きテーブルＴ１の説明と重複するものについては省略する。なお、テーブル１００については、図１及び図２を借りて参照する。
【００３８】
掛け寝具２００’は、閉塞部２３０及び連結部２４０を更に備えている点で、上記した何れかの態様の掛け寝具２００と相違する以外、当該掛け寝具２００と同様の構成である。よって、掛け寝具２００’については、図４Ａ〜図６に加えて、図３Ａ〜図３Ｆ借りても参照する。
【００３９】
閉塞部２３０は、閉塞部本体２３１を有している。閉塞部本体２３１は、閉塞部２３０の開口２１１ａを塞ぐ部分であって、掛け寝具２００’の一部をなす。例えば、掛け寝具２００’が、掛け布団、ブランケット、織物又は和紙等の紙である場合、掛け布団、ブランケット、織物又は和紙等の紙の一部が閉塞部２３０の閉塞部本体２３１を構成し、掛け布団、ブランケット、織物又は和紙等の紙の残りの部分が掛け寝具本体２１０を構成する。但し、掛け寝具本体２１０及び閉塞部２３０は、同じ素材で構成されていても良いし、異なる素材で構成されていても良い。
【００４０】
この閉塞部本体２３１の外形は、任意であるが、開口２１１ａの形に応じた形とすることが可能である。例えば、この開口２１１ａの形が矩形状（図４Ａ〜図６参照）、多角形状、円形状である場合、閉塞部本体２３１の外形も矩形状（図４Ａ〜図６参照）、多角形状、円形状とすることが可能である。また、閉塞部本体２３１の外形寸法は、開口２１１ａの内形寸法と略同じである（図４Ａ〜図６参照）。閉塞部本体２３１は外周縁部２３１ａを有している。以下、説明の便宜上、閉塞部本体２３１が開口２１１ａを塞いだ状態を閉塞状態と称する。
【００４１】
連結部２４０は、閉塞状態で、閉塞部２３０を載置部２１１に着脱可能に連結するようになっている。例えば、連結部２４０は、下記（ａ）〜（ｃ）の何れかの構成とすることが可能である。
（ａ）連結部２４０は、閉塞部本体２３１の外周縁部２３１ａ及び載置部２１１の開口２１１ａの内周縁部２１１ｂに設けられた線ファスナである（図４Ａ〜図４Ｃ参照）。この場合、連結部２４０は、閉塞部本体２３１の外周縁部２３１ａに設けられた第１ファスナ片と、載置部２１１の開口２１１ａの内周縁部２１１ｂに設けられた第２ファスナ片と、スライダとを有し、スライダの移動によって第１ファスナ片の務歯と第２ファスナ片の務歯とが着脱可能（噛み合い、噛み合いの解除可能）になっている。この線ファスナの開端と終端は互いに間隙を有して隣り合っている（図４Ｃ参照）。
（ｂ）連結部２４０は、閉塞部本体２３１の外周縁部２３１ａに間隔をあけて設けられた複数の第１面ファスナ又は第１スナップボタンと、載置部２１１の開口２１１ａの内周縁部２１１ｂに間隔をあけて設けられた複数の第２面ファスナ又は第２スナップボタンとを有している。複数の第１面ファスナと複数の第２面ファスナとが各々着脱可能になっている。複数の第１スナップボタンと複数の第２スナップボタンとが各々着脱可能になっている。
（ｃ）連結部２４０は、閉塞部本体２３１の外周縁部２３１ａ及び載置部２１１の開口２１１ａの内周縁部２１１ｂの何れか一方に間隔をあけて設けられた複数のフック又はトグルと、他方に間隔をあけて設けられた複数のループ状の紐とを有している。複数のフック又はトグルが複数の紐に各々引っかけ可能となっている。
【００４２】
連結部２４０が上記線ファスナである場合、閉塞部２３０及び載置部２１１の少なくとも一方には、少なくとも線ファスナの始端と終端の間の間隙を覆うカバー部２３３が設けられていても良い（図４Ｃ参照）。カバー部２３３は、閉塞部２３０及び載置部２１１の少なくとも一方と同じ素材で構成されていても良いし、異なる素材で構成されていても良いが、掛け寝具２００’として使用する際にカバー部２３３が使用者に違和感を与えない程度の可撓性を有していると良い。なお、カバー部２３３は、省略可能である。
【００４３】
閉塞部２３０は、第１フランジ２３２を更に有していても良い（図４Ｂ、図４Ｃ及び図５Ｂ参照）。第１フランジ２３２は、閉塞部本体２３１の外周縁部２３１ａに設けられた略環状体である。第１フランジ２３２は、閉塞部本体２３１と同じ素材で構成されていても良いし、異なる素材で構成されていても良いが、掛け寝具２００’として使用する際に第１フランジ２３２が使用者に違和感を与えない程度の可撓性を有していると良い。
【００４４】
載置部２１１は、第２フランジ２１１ｃを更に有していても良い（図３Ｂ、図４Ｃ及び図５Ｂ参照）。第２フランジ２１１ｃは、載置部２１１の開口２１１ａの内周縁部２１１ｂに設けられた略環状体である。第２フランジ２１１ｃは、載置部２１１と同じ素材で構成されていても良いし、異なる素材で構成されていても良いが、掛け寝具２００’として使用する際に第２フランジ２１１ｃが使用者に違和感を与えない程度の可撓性を有していると良い。
【００４５】
第１フランジ２３２及び第２フランジ２１１ｃが設けられている場合、第１フランジ２３２及び第２フランジ２１１ｃは、上記閉塞状態で、掛け寝具２００の厚み方向において、互いに重なっていれば良い。また、上記閉塞状態で、前記厚み方向において、連結部２４０、第１フランジ２３２及び第２フランジ２１１ｃは、第１順又は第２順で配置されていても良いが、これに限定されるものではない。第１順は、連結部２４０、第１フランジ２３２、第２フランジ２１１ｃの順であり、第２順は、連結部２４０、第２フランジ２１１ｃ、第１フランジ２３２の順である。このように配置することで、第１フランジ２３２及び第２フランジ２１１ｃが連結部２４０の連結の隙間を覆う。なお、連結部２４０の連結の隙間は、上記（ａ）の場合、噛み合った第１ファスナ片の務歯と第２ファスナ片の務歯との隙間であり、上記（ｂ）の場合、第１、第２面ファスナ間又は第１、第２スナップボタン間の隙間であり、上記（ｃ）の場合、フック又はトグル間の隙間である。第１順及び第２順の何れで配置された場合も、第１フランジ２３２、第２フランジ２１１ｃ及び連結部２４０の前記厚み方向の寸法の和は、掛け寝具２００’の前記厚み方向の寸法よりも小さくすると良いが、これに限定されるものではない。
【００４６】
なお、第１フランジ２３２及び第２フランジ２１１ｃの少なくとも一方は、省略可能である。
第１フランジ２３２が省略される場合、第２フランジ２１１ｃは、閉塞状態で、前記厚み方向において閉塞部本体２３１の外周縁部２３１ａに重なるようになっていると良い。この場合、上記閉塞状態で、前記厚み方向において、第２フランジ２１１ｃが連結部２４０に対向配置され、連結部２４０の連結の隙間を覆う構成とすることが可能であるが、これに限定されるものではない。第２フランジ２１１ｃが連結部２４０に対向する場合、第２フランジ２１１ｃ及び連結部２４０の前記厚み方向の寸法の和は、掛け寝具２００’の前記厚み方向の寸法よりも小さくすると良いが、これに限定されるものでもない。
第２フランジ２１１ｃが省略される場合、第１フランジ２３２は、閉塞状態で、前記厚み方向において載置部２１１の開口２１１ａの内周縁部２１１ｂに重なるようになっていると良い。この場合、上記閉塞状態で、前記厚み方向において、第１フランジ２３２が連結部２４０に対向配置され、連結部２４０の連結の隙間を覆う構成とすることが可能であるが、これに限定されるものではない。第１フランジ２３２が連結部２４０に対向する場合、第１フランジ２３２及び連結部２４０の前記厚み方向の寸法の和は、掛け寝具２００’の前記厚み方向の寸法よりも小さくすると良いが、これに限定されるものでもない。
【００４７】
連結部２４０の連結を解除し、閉塞部２３０を載置部２１１から取り外した状態で、閉塞部２３０を、膝掛け、チェアカバー又は座布団などとして使用可能である。このように使用するために、閉塞部２３０の第１方向の寸法は、人の身幅と略同じ又は身幅よりも大きくすると良い。第１方向は、閉塞部２３０の平面に沿って延びる任意の方向である。この場合、載置部２１１の開口２１１ａの前記第１方向に対応する寸法も閉塞部２３０の第１方向の寸法とほぼ同じにすると良い。例えば、閉塞部２３０及び開口２１１ａが長方形である場合、閉塞部２３０及び開口２１１ａの短手方向の寸法（第１方向の寸法）が、人の身幅と略同じ又は身幅よりも若干大きくすると良い。なお、閉塞部２３０及び開口２１１ａの第１方向の寸法は、人の身幅よりも小さくすることが可能である。
【００４８】
ところで、掛け寝具本体２１０が矩形状である場合、掛け寝具本体２１０は、その短手方向に二つ折り可能な構成とすることが可能である。この場合、掛け寝具２００’は、固定部２５０を更に備えていると良い。固定部２５０は、図６に示すように、二つ折りにされた状態が維持されるように掛け寝具本体２１０を解除可能に固定するようになっている。例えば、固定部２５０は、下記（ア）〜（ウ）の何れかの構成とすることが可能である。
（ア）固定部２５０は、閉塞部本体２３１の前記短手方向の一方側の第１端部、前記短手方向の他方側の第２端部及び閉塞部本体２３１の長手方向の一方側の第３端部に設けられた線ファスナである。この場合、固定部２５０は、図３Ｃ、図３Ｄ及び図６に示すように、略Ｌ字状の第１ファスナ片と、略Ｌ字状の第２ファスナ片と、スライダとを有している。第１ファスナ片が、第１端部及びこれに連なる第３端部の略半分に設けられており、第２ファスナ片が、第２端部及びこれに連なる第３端部の残りの略半分に設けられている。スライダの移動によって第１ファスナ片の務歯と第２ファスナ片の務歯とが着脱可能（噛み合い、噛み合いの解除可能）になっている。
（イ）固定部２５０は、複数の第１面ファスナ又は第１スナップボタンと、複数の第２面ファスナ又は第２スナップボタンとを有している。複数の第１面ファスナ又は第１スナップボタンが、第１端部及びこれに連なる第３端部の略半分に感覚をあけて設けられており、第２面ファスナ又は第２スナップボタンが、第２端部及びこれに連なる第３端部の残りの略半分に感覚をあけて設けられている。複数の第１面ファスナと複数の第２面ファスナとが各々着脱可能になっている。複数の第１スナップボタンと複数の第２スナップボタンとが各々着脱可能になっている。
（ウ）固定部２５０は、複数のフック又はトグルと、複数のループ状の紐とを有している。複数のフック又はトグルが、第１端部及びこれに連なる第３端部の略半分に感覚をあけて設けられており、紐が、第２端部及びこれに連なる第３端部の残りの略半分に感覚をあけて設けられている。複数のフック又はトグルが複数の紐に各々引っかけ可能となっている。
【００４９】
上記の通りに固定部２５０によって二つ折り状態が維持された掛け寝具本体２１０は、有底の筒状となるため、寝袋として使用可能となる。なお、固定部２５０は、閉塞部本体２３１の第３端部に設けられていなくても良い。また、固定部２５０を省略し、掛け寝具２００’を寝袋として使用できない構成とすることも可能である。
【００５０】
以上のような掛け寝具２００’は、連結部２４０の連結を解除し、閉塞部２３０を載置部２１１から取り外した後に、掛け寝具２００’と同様に、テーブル１００に掛けることが可能である。この場合も、掛け寝具２００’の載置部２１１が天板１１０の上面１１１上に配置され、且つ載置部２１１の開口２１１ａから天板１１０の上面１１１が部分的に露出する。これと共に、掛け寝具２００’の外周部２１２が載置部２１１からテーブル１００の脚部１２０の周りに垂れ下がり、テーブル１００の脚部１２０の周りに配置される。このようにして掛け寝具２００の外周部２１２がテーブル１００の天板１１０下の空間を囲うように配置される。
【００５１】
掛けられた掛け寝具２００’をテーブル１００から剥ぎ取った後、閉塞部２３０で載置部２１１の開口２１１ａを塞ぎ、連結部２４０によって閉塞部２３０で載置部２１１に連結する。これにより、掛け寝具本体２１０及び閉塞部２３０が、開口のない一枚の掛け寝具２００’として使用可能となる。
【００５２】
また、閉塞部２３０で載置部２１１の開口２１１ａが塞がれた掛け寝具本体２１０を二つ折りにし、固定部２５０によって二つ折りの掛け寝具本体２１０を固定することにより、掛け寝具本体２１０を有底の筒状とすることができる。これにより、掛け寝具２００’を寝袋として使用可能となる。
【００５３】
以上のような以上のような寝具付きテーブルＴ２は、寝具付きテーブルＴ１と同様の技術的特徴及び効果を奏する。加えて、上記の通り、掛け寝具２００’は、閉塞部２３０で載置部２１１の開口２１１ａを塞ぐことによって、開口のない一枚の掛け寝具２００’として使用可能となり、且つ二つ折りにされた掛け寝具本体２１０を固定部２５０によって固定することにより、掛け寝具２００’を寝袋として使用可能となる。
【００５４】
また、掛け寝具２００’が第１フランジ２３２及び第２フランジ２１１ｃの少なくとも一方のフランジを備えており、上記閉塞状態で、この少なくとも一方のフランジが、掛け寝具２００’の厚み方向において、連結部２４０に対向する場合、この少なくとも一方のフランジで、連結部２４０の連結の隙間を覆うことができる。
【００５５】
また、連結部２４０が線ファスナであり且つ掛け寝具２００’がカバー部２３３を備えている場合、上記閉塞状態で、カバー部２３３が連結部２４０の線ファスナの始端と終端の間の間隙を覆うことができる。
【００５６】
なお、上記した寝具付きテーブル及び掛け寝具は、上記実施例に限定されるものではなく、特許請求の範囲の記載範囲において任意に設計変更することが可能である。以下、詳しく述べる。
【００５７】
本発明の係止部及び被係止部は省略可能である。また、本発明のテーブルが少なくとも一つの係止部を備え、本発明の掛け寝具が少なくとも一つの被係止部を備えていても良い。この場合、テーブルの少なくとも一つの係止部は、上記した何れかの態様のテーブルに設けられている以外、上記（１）〜（４）の何れかと同じ構成とすることが可能であり、掛け寝具の少なくとも一つの被係止部も、上記何れかの態様の掛け寝具本体に設けられている以外、脚部１２０を除き、上記（１）〜（４）の何れかと同じ構成とすることが可能である。また、掛け寝具の少なくとも一つの被係止部は、上記何れかの態様の掛け寝具本体に設けられたリングとすることも可能である。このリングに、テーブルの係止部が係止可能となっていても良い。
【００５８】
本発明の閉塞部は省略可能である。本発明の閉塞部の閉塞部本体の外形寸法は、掛け寝具本体の載置部の開口の内形寸法よりも大きくても良い。この場合、閉塞部本体の外周縁部と載置部の開口の内周縁部とが互いに重なり、閉塞部本体が載置部の開口を塞ぐ。
【００５９】
なお、上記実施例の各態様及び設計変形例における寝具付きテーブル及び掛け寝具の各構成要素を構成する素材、形状、寸法、数及び配置等はその一例を説明したものであって、同様の機能を実現し得る限り任意に設計変更することが可能である。上記した実施例の各態様及び設計変更例は、互いに矛盾しない限り、相互に組み合わせることが可能である。
【符号の説明】
【００６０】
Ｔ１、Ｔ２：寝具付きテーブル
１００：テーブル
１１０：天板
１１１：上面
１２０：脚部
２００、２００’：掛け寝具
２１０：掛け寝具本体
２１１：載置部
２１１ａ：開口
２１１ｂ：内周縁部
２１１ｃ：第２フランジ
２１２：外周部
２２０：係止部
２３０：閉塞部
２３１：閉塞部本体
２３１ａ：外周縁部
２３２：第１フランジ
２３３：カバー部
２４０：連結部
２５０：固定部
【図１】
2019136180.tif 000003
【図２】
2019136180.tif 000004
【図３Ａ】
2019136180.tif 000005
【図３Ｂ】
2019136180.tif 000006
【図３Ｃ】
2019136180.tif 000007
【図３Ｄ】
2019136180.tif 000008
【図３Ｅ】
2019136180.tif 000009
【図３Ｆ】
2019136180.tif 000010
【図４Ａ】
2019136180.tif 000011
【図４Ｂ】
2019136180.tif 000012
【図４Ｃ】
2019136180.tif 000013
【図５Ａ】
2019136180.tif 000014
【図５Ｂ】
2019136180.tif 000015
【図６】
2019136180.tif 000016